(57)【要約】【課題】ユーザー毎に各種レポートの出力内容を変更して、無駄なキー操作、印刷等を削除することが可能な複合機１００を提供する。【解決手段】レポートページが出力される際に、現在、自装置にログイン中のユーザーが特定のユーザーか一般ユーザーかを判定するユーザー判定手段４０４と、前記判定の結果、前記ユーザーが一般ユーザーである場合に、秘匿性の低い一般的な情報に基づいたレポートページを出力し、前記ユーザーが特定ユーザーである場合に、前記一般的な情報と、秘匿性の高い特殊な情報に基づいたレポートページを出力するレポート出力手段４０６とを備えることを特徴とする複合機１００を提供する。【選択図】図４
2015046751.tif 000002
【特許請求の範囲】
【請求項１】
ユーザーがログインした後に、当該ユーザーの指示により、自装置の各種レポートページを出力する情報出力装置であって、
レポートページが出力される際に、現在、自装置にログイン中のユーザーが特定のユーザーか一般ユーザーかを判定するユーザー判定手段と、
前記判定の結果、前記ユーザーが一般ユーザーである場合に、秘匿性の低い一般的な情報に基づいたレポートページを出力し、前記ユーザーが特定ユーザーである場合に、前記一般的な情報と、秘匿性の高い特殊な情報に基づいたレポートページを出力するレポート出力手段と
を備えることを特徴とする情報出力装置。
【請求項２】
前記特殊な情報に基づいたレポートページが出力される際に、当該特殊な情報を地紋画像に変換する変換手段を更に備える
請求項１に記載の情報出力装置。
【請求項３】
前記レポート出力手段が、前記特殊な情報に基づいたレポートページを出力する際に、ユーザーに、当該特殊な情報を地紋画像化するための地紋画像化キーを押下可能に表示し、
前記変換手段は、前記地紋画像化キーが押下されると、前記特殊な情報を地紋画像に変換する
請求項２に記載の情報出力装置。
【請求項４】
ユーザーがログインした後に、当該ユーザーの指示により、自装置の各種レポートページを出力する情報出力装置の情報出力方法であって、
レポートページが出力される際に、現在、自装置にログイン中のユーザーが特定のユーザーか一般ユーザーかを判定するステップと、
前記判定の結果、前記ユーザーが一般ユーザーである場合に、秘匿性の低い一般的な情報に基づいたレポートページを出力し、前記ユーザーが特定ユーザーである場合に、前記一般的な情報と、秘匿性の高い特殊な情報に基づいたレポートページを出力するステップと
を備えることを特徴とする情報出力方法。
【発明の詳細な説明】
【技術分野】
【０００１】
本発明は、情報出力装置及び情報出力方法に関し、詳しくは、ユーザー毎に各種レポートの出力内容を変更して、無駄なキー操作、印刷等を削除することが可能な情報出力装置及び情報出力方法に関する。
【背景技術】
【０００２】
従来より、画像形成装置、ファクシミリ装置等の通信装置では、表示部に表示される各種情報のうち、所望の情報を容易かつ確実に認識出来る技術の開発が盛んになされている。
【０００３】
例えば、特開平５−３４７６８０号公報（特許文献１）には、画像情報を蓄積保持可能な第１の記憶手段と、登録サービス、通信結果を保持する第２の記憶手段とを有する通信装置が開示されている。この通信装置は、少なくとも通信中表示、登録サービス表示、および通信結果表示が可能な表示手段と、この表示手段における各表示の切り替えが可能な表示切替手段とを有する。更に、前記表示手段における通信中表示、登録サービス表示、および通信結果表示を文書に出力する出力手段を有する。これにより、上記情報を文書によっても見ることができ、ユーザーが一項目ずつ表示していく手間を省くことができるとしている。又、通信中、蓄積原稿、登録サービス、通信結果等の項目の中から、ユーザーが必要とする項目だけを選択し、文書として出力することができるとしている。
【０００４】
特開２００８−８０５１３号公報（特許文献２）には、ユーザーが画像データの印刷形式を設定する設定手段と、上記設定手段により設定された印刷形式に基づいて、上記画像データの印刷を実行するときの印刷状態を印刷する印刷手段とを備える画像形成装置が開示されている。これにより、ユーザーの設定した印刷形式ではなく、現実に実行された印刷状態の決定過程をレポートとして示すことにより、保守点検等の際にエラーの特定を容易に行うことができるとしている
【先行技術文献】
【特許文献】
【０００５】
【特許文献１】特開平５−３４７６８０号公報
【特許文献２】特開２００８−８０５１３号公報
【発明の概要】
【発明が解決しようとする課題】
【０００６】
ここで、前記特許文献１に記載の技術では、通信中、蓄積原稿、登録サービス、通信結果等の通知情報を表示画面に表示する際に、一の項目に対応する通知情報が前記表示画面に表示され、ユーザーが、当該表示画面を切り替える同一のキーを操作することで、異なる他の項目に対応する通知情報が表示されるようになっている。これにより、ユーザーのキー操作を一元化して、ユーザーは所望の通知情報を簡単に参照できるようにしている。
【０００７】
しかしながら、上述の方法では、所定の通知情報が一項目ずつ表示されるため、ユーザーが全ての項目の通知情報を参照する場合に、時間がかかるとともに、ユーザーが見る必要の無い項目まで表示されるという問題がある。
【０００８】
又、前記特許文献１に記載の技術では、ユーザーが所定の項目を選択して、当該項目に対応する通知情報のみをユーザーが知りたい情報として表示し、文書として出力することも可能である。
【０００９】
しかしながら、ユーザーが所望の項目を選択する場合に、複数の項目のうち、所望する項目が最後に存在すると、ユーザーは、前記キー操作を繰り返して、最後の項目の通知情報を表示させて、それを選択しなければならないという問題がある。
【００１０】
又、前記特許文献２に記載の技術では、レポート印刷時に自動的に集約印刷等を行えるものの、当該レポート印刷の内容が縮小して視認し難くなる可能性があるという問題がある。
【００１１】
そこで、本発明は、前記問題を解決するためになされたものであり、ユーザー毎に各種レポートの出力内容を変更して、無駄なキー操作、印刷等を削除することが可能な情報出力装置及び情報出力方法を提供することを目的とする。
【課題を解決するための手段】
【００１２】
上述した課題を解決し、目的を達成するために、本発明に係る情報出力装置は、ユーザーがログインした後に、当該ユーザーの指示により、自装置の各種レポートページを出力する情報出力装置であって、以下の構成を採用する。
【００１３】
即ち、前記情報出力装置は、レポートページが出力される際に、現在、自装置にログイン中のユーザーが特定のユーザーか一般ユーザーかを判定するユーザー判定手段と、前記判定の結果、前記ユーザーが一般ユーザーである場合に、秘匿性の低い一般的な情報に基づいたレポートページを出力し、前記ユーザーが特定ユーザーである場合に、前記一般的な情報と、秘匿性の高い特殊な情報に基づいたレポートページを出力するレポート出力手段とを備えることを特徴とする。
【発明の効果】
【００１４】
本発明の情報出力装置及び情報出力方法によれば、ユーザー毎に各種レポートの出力内容を変更して、無駄なキー操作、印刷等を削除することが可能となる。
【図面の簡単な説明】
【００１５】
【図１】本発明に係る複合機の内部の全体構成を示す概念図である。
【図２】本発明に係る操作部の全体構成を示す概念図である。
【図３】本発明に係る複合機の制御系ハードウェアの構成を示す図である。
【図４】本発明の実施形態における複合機の機能ブロック図である。
【図５】本発明の実施形態の実行手順を示すためのフローチャートである。
【図６】本発明の実施形態のタッチパネル上に表示された認証画面の一例を示す図（図６（Ａ））と、本発明の実施形態のタッチパネル上に表示された初期画面の一例を示す図（図６（Ｂ））である。
【図７】本発明の実施形態のタッチパネル上に表示されたレポートページ出力画面の一例を示す図（図７（Ａ））と、本発明の実施形態のユーザーテーブルの一例を示す図（図７（Ｂ））である。
【図８】本発明の実施形態の通知情報テーブルの一例を示す図（図８（Ａ））と、本発明の実施形態のタッチパネル上に表示されたページ項目画面の一例を示す図（図８（Ｂ））である。
【図９】本発明の実施形態のタッチパネル上に表示された地紋画像選択画面の一例を示す図（図９（Ａ））と、本発明の実施形態のタッチパネル上に表示された通常表示画面の一例を示す図（図９（Ｂ））である。
【図１０】本発明の実施形態のタッチパネル上に表示された地紋画像画面の一例を示す図（図１０（Ａ））と、本発明の実施形態の地紋画像の復号化処理の一例を示す図（図１０（Ｂ））である。
【発明を実施するための形態】
【００１６】
以下に、添付図面を参照して、本発明の情報出力装置の実施形態について説明し、本発明の理解に供する。尚、以下の実施形態は、本発明を具体化した一例であって、本発明の技術的範囲を限定する性格のものではない。又、フローチャートにおける数字の前に付されたアルファベットＳはステップを意味する。
【００１７】
＜情報出力装置＞
本発明の実施形態に係る情報出力装置は、例えば、画像形成装置であり、以下に、この画像形成装置について説明する。図１は、本発明の実施形態に係る画像形成装置の概略模式図である。但し、本発明に直接には関係しない各部の詳細は省略している。
【００１８】
尚、本発明の画像形成装置は、例えば、プリンターやスキャナー単体、あるいはプリンター、コピー、スキャナー、ファックス等を備えた複合機等が該当し、コピー機能、スキャナー機能、ファクシミリ機能、プリンター機能等を備えた画像形成装置として機能する。
【００１９】
以下に、例えば、コピー機能を利用する場合の複合機１００（ＭＦＰ：Ｍｕｌｔｉ  Ｆｕｎｃｔｉｏｎ  Ｐｅｒｉｐｈｅｒａｌ）の動作を簡単に説明する。
【００２０】
先ず、ユーザーが複合機１００を利用する場合、原稿を筐体部の上面に備えられている原稿台１０１に載置する。続いて、ユーザーは、前記原稿台１０１近傍に備えられている操作部１０２（操作パネル）を使用して、画像形成に関する設定条件の入力を当該操作部１０２の操作画面から入力する。そして、ユーザーが、前記操作部１０２に設けられたスタートキーを押下すると、複合機１００が画像形成（印刷処理）を開始する。
【００２１】
次に、画像読取部１０３において、光源１０４から照射された光が、前記原稿台１０１に置かれた原稿に反射される。反射された光は、ミラー１０５、１０６、１０７によって撮像素子１０８に導かれる。導かれた光は前記撮像素子１０８により光電変換されて、前記原稿に対応する画像データが生成される。
【００２２】
さて、前記画像データに基づいてトナー像を形成する部分が画像形成部１０９である。前記画像形成部１０９には感光体ドラム１１０が備えられている。前記感光体ドラム１１０は、一定速度で所定の方向に回転し、その周囲には、回転方向の上流側から順に、帯電器１１１、露光ユニット１１２、現像器１１３、転写器１１４、クリーニングユニット１１５などが配置されている。
【００２３】
前記帯電器１１１は、前記感光体ドラム１１０表面を一様に帯電させる。前記露光ユニット１１２は、帯電された感光体ドラム１１０の表面に、前記画像データに基づいてレーザーを照射し、静電潜像を形成する。前記現像器１１４は、形成された静電潜像に、トナーを付着させてトナー像を形成する。形成されたトナー像は、前記転写器１１４により、記録媒体（例えば、用紙、シート）に転写される。前記クリーニングユニット１１５は、前記感光体ドラム１１０の表面に残された余分なトナーを取り除く。これらの一連のプロセスは、前記感光体ドラム１１０が回転することにより実行される。
【００２４】
前記シートは、複合機１００に備えられた複数の給紙カセット１１６から搬送される。搬送される時は、前記シートは、ピックアップローラー１１７により何れか１つの給紙カセット１１６から搬送路へ引き出される。各給紙カセット１１６には、それぞれ異なる紙種のシートが収容されており、画像形成に関する設定条件に基づいてシートが給紙される。
【００２５】
搬送路に引き出されたシートは、搬送ローラー１１８やレジストローラー１１９により感光体ドラム１１０と転写器１１４の間に送り込まれる。送り込まれると、前記シートは前記転写器１１４により前記トナー像が転写され、定着装置１２０に搬送される。
【００２６】
前記トナー像が転写されたシートが、前記定着装置１２０に備えられた加熱ローラーと加圧ローラーの間を通過すると、前記トナー像に熱と圧力が印加されて、可視像がシートに定着される。前記加熱ローラーの熱量は、紙種に応じて最適に設定され、前記定着が適切に行われる。前記可視像がシートに定着されて画像形成が終了し、当該シートは搬送ローラー１１８により、経路切替部１２１へ導かれる。
【００２７】
前記経路切替部１２１では、前記複合機１００による切り替え指示により、前記シートを、前記筐体部の側面に設けられた排紙トレイ１２２へ案内したり、排紙口１２３を介して、前記筐体部の胴内に設けられた胴内トレイ１２４へ案内したりする。前記シートは、前記排紙トレイ１２２か胴内トレイ１２４に積載され、収容される。前記手順により、複合機１００の筐体部はコピー機能をユーザーに提供する。
【００２８】
次に、図２は、本発明の実施形態に係る操作部の全体構成を示す概念図である。ユーザーは、前記操作部１０２を用いて、上述のような画像形成についての設定条件を入力したり、入力された設定条件を確認したりする。前記設定条件が入力される場合、前記操作部１０２に備えられたタッチパネル２０１（操作パネル）、タッチペン２０２、操作キー２０３が用いられる。
【００２９】
前記タッチパネル２０１には、設定条件を入力する機能と当該設定条件を表示する機能が兼ね備えられている。即ち、タッチパネル２０１上に表示された画面内のキーを押下することによって、当該押下されたキーに対応する設定条件が入力される。
【００３０】
前記タッチパネル２０１の背面には、ＬＣＤ（Ｌｉｑｕｉｄ  Ｃｒｙｓｔａｌ  Ｄｉｓｐｌａｙ）等の表示部（図示せず）が設けられており、当該表示部が、例えば、前記操作画面を表示する。前記タッチパネル２０１の近傍には、タッチペン２０２が備えられており、ユーザーがそのタッチペン２０２の先をタッチパネル２０１に接触させると、タッチパネル２０１下に設けられたセンサーが接触先を検知する。
【００３１】
更に、前記タッチパネル２０１近傍には、所定数の操作キー２０３が設けられ、例えば、テンキー２０４、スタートキー２０５、クリアキー２０６、ストップキー２０７、リセットキー２０８、電源キー２０９が備えられている。
【００３２】
次に、図３を用いて、複合機１００の制御系ハードウェアの構成を説明する。図３は、本発明に係る複合機１００の制御系ハードウェアの構成を示す図である。ただし、本発明に直接には関係しない各部の詳細は省略している。
【００３３】
複合機１００の制御回路は、ＣＰＵ（Ｃｅｎｔｒａｌ  Ｐｒｏｃｅｓｓｉｎｇ  Ｕｎｉｔ）３０１、ＲＯＭ（Ｒｅａｄ  Ｏｎｌｙ  Ｍｅｍｏｒｙ）３０２、ＲＡＭ（Ｒａｎｄｏｍ  Ａｃｃｅｓｓ  Ｍｅｍｏｒｙ）３０３、ＨＤＤ（Ｈａｒｄ  Ｄｉｓｋ  Ｄｒｉｖｅ）３０４、各駆動部に対応するドライバー３０５、操作部３０６（１０２）を内部バス３０７によって接続している。
【００３４】
前記ＣＰＵ３０１は、例えば、ＲＡＭ３０３を作業領域として利用し、前記ＲＯＭ３０２、ＨＤＤ３０４等に記憶されているプログラムを実行し、当該実行結果に基づいて前記ドライバー３０６と前記操作部３０７からのデータや指示、キーに対応する信号、命令等を授受し、図１に示した各駆動部の動作を制御する。
【００３５】
又、前記駆動部以外の後述する各手段（図４に示す）についても、前記ＣＰＵ３０１がプログラムを実行することで当該各手段を実現する。前記ＲＯＭ３０２、ＨＤＤ３０４等には、以下に説明する各手段を実現するプログラムやデータが記憶されている。
【００３６】
＜本発明の実施形態＞
次に、図４、図５を参照しながら、本発明の実施形態に係る構成及び実行手順について説明する。図４は、本発明の複合機の機能ブロック図である。又、図５は、本発明の実行手順を示すためのフローチャートである。
【００３７】
先ず、ユーザーが、複合機１００の電源を投入すると、当該複合機１００が起動し、認証手段４０１が、タッチパネル２０１上に操作画面の認証画面を表示する（図５：Ｓ１０１）。
【００３８】
前記認証画面６００には、図６（Ａ）に示すように、所定のメッセージ「認証画面  ユーザーＩＤとＰＷを入力して下さい。」６０１と、ユーザーＩＤ入力欄６０２と、これに対応するキーボードキー６０３と、ＰＷ入力欄６０４と、これに対応するキーボードキー６０５と、ＯＫキー６０６とが表示される。
【００３９】
ここで、ユーザーが、前記認証画面６００を見ながら、自己のユーザーＩＤ（例えば、「ＡＡＡ」）と、対応するＰＷ（例えば、「１２３」）とを前記キーボードキー６０３、６０５を用いて入力するとともに、前記ＯＫキー６０６を押下すると、前記認証手段４０１は、当該ユーザーＩＤと当該ＰＷと当該ＯＫキー６０６の押下とを受け付けて、ユーザーの認証を実行する（図５：Ｓ１０２）。
【００４０】
具体的には、前記認証手段４０１は、所定のメモリに予め記憶された認証テーブルのユーザーＩＤと、これに対応付けられたＰＷとを参照して、前記入力されたユーザーＩＤと前記認証テーブルのユーザーＩＤとを照合するとともに、前記入力されたＰＷと前記認証テーブルのＰＷとを照合する。
【００４１】
前記照合の結果、前記入力されたユーザーＩＤと前記認証テーブルのユーザーＩＤとが不一致、又は前記入力されたＰＷと前記認証テーブルのＰＷとが不一致である場合に（図５：Ｓ１０２ＮＯ）、前記認証手段４０１は、前記入力されたユーザーＩＤとＰＷとを消去して、ユーザーに、再度、新たなユーザーＩＤとＰＷとの入力を受け付ける。
【００４２】
一方、前記照合の結果、前記入力されたユーザーＩＤと前記認証テーブルのユーザーＩＤとが一致し、且つ、前記入力されたＰＷと前記認証テーブルのＰＷとが一致する場合に（図５：Ｓ１０２ＹＥＳ）、前記認証手段４０１は、前記ユーザーをログインし（前記ユーザーの複合機１００の使用を許可し）、その旨を表示受付手段４０２に通知する。当該通知を受けた表示受付手段４０２は、タッチパネル２０１上に初期画面（操作画面）を表示する（図５：Ｓ１０３）。
【００４３】
前記初期画面６０７には、図６（Ｂ）に示すように、所定のメッセージ「コピーできます。」６０８が表示されるとともに、コピー機能等の設定条件を入力するための機能項目キー６０９と、各種レポートページを出力させるためのレポートキー６１０とが押下可能に表示される。
【００４４】
ここで、例えば、ユーザーが、前記レポートキー６１０を押下すると（図５：Ｓ１０４ＹＥＳ）、前記表示受付手段４０１が、当該レポートキー６１０の押下を受け付けて、その旨をレポート表示受付手段４０３に通知する。当該通知を受けたレポート表示受付手段４０３は、タッチパネル２０１上にレポートページ出力画面を表示する（図５：Ｓ１０５）。
【００４５】
前記レポートページ出力画面７００には、図７（Ａ）に示すように、所定のメッセージ「レポートページ出力画面  ページ項目を選択して下さい。」７０１と、各種レポートページを選択するためのページ項目キー７０２と、前記ページ項目キー７０２のレポートページを出力（表示、印刷）するための出力キー７０３と、キャンセルキー７０４とが表示される。
【００４６】
ここで、前記ページ項目キー７０２には、例えば、複合機１００の状況（トナー残量等）やシステムメニューから設定できる各種の設定値情報を所定のページ（文書）で示すステータスページキー、複合機１００のメモリサイズやオプションの装着、インストール状況等の情報を所定のページで示すサービスステータスページキー、ＭＡＣアドレス、ＴＣＰ／ＩＰ等のネットワーク情報を所定のページで示すネットワークステータスページキー、ジャムの発生履歴やサービスコールの発生履歴等の情報を所定のページで示すイベントログキー、複合機１００に搭載されているファームウェアの情報等を所定のページで示すメンテナンスレポートキー等が挙げられる。
【００４７】
ユーザーは、前記レポートページ出力画面７００を見ながら、出力を希望する所定のページ項目キー７０２（例えば、「サービスステータスページキー」）を押下して（図５：Ｓ１０６）、前記出力キー７０３を押下すると（図５：Ｓ１０７ＹＥＳ）、前記レポート表示受付手段４０３は、前記ページ項目キー７０２と出力キー７０３との押下を受け付けて、その旨をユーザー判定手段４０４に通知する。当該通知を受けたユーザー判定手段４０４は、レポートページの出力キー７０３を押下したユーザー（レポートページの出力を希望するユーザー、現在、複合機１００にログイン中のユーザー）が一般ユーザーか特定ユーザーかを判定する（図５：Ｓ１０８）。
【００４８】
ここで、前記特定のユーザーとは、管理者等により予め登録されたユーザーを意味し、例えば、複合機１００のメンテナンスでレポートページを定期的に出力する必要のあるサービスマン等のユーザーを意味する。一方、前記一般ユーザーとは、前記特定のユーザー以外のユーザーを意味する。
【００４９】
前記ユーザー判定手段４０４が、前記出力キー７０３を押下したユーザーが一般ユーザーか特定ユーザーかを判定する方法は、どのような方法でも構わないが、例えば、以下の方法によりなされる。
【００５０】
即ち、前記ユーザー判定手段４０４は、前記出力キー７０３が押下された時点におけるログイン中のユーザーのユーザーＩＤ（「ＡＡＡ」）を前記認証手段４０１から取得するとともに、ユーザー記憶手段４０５に予め記憶されたユーザーテーブルを参照する。
【００５１】
前記ユーザーテーブル７０５には、図７（Ｂ）に示すように、ユーザーＩＤ７０６と、特定のユーザーか一般ユーザーを示すユーザーの分類７０７とが関連付けて記憶されている。ここで、前記ユーザーの分類７０７には、前記ユーザーＩＤ７０６の種類に対応して、特定のユーザーを示す特定ユーザーか、特定のユーザー以外のユーザーを示す一般ユーザーかが記憶される。
【００５２】
前記ユーザー判定手段４０４は、前記取得したユーザーＩＤと、前記ユーザーテーブル７０５のユーザーＩＤ７０６とを照合し、当該照合したユーザーＩＤ７０６に対応するユーザーの分類７０７を参照する。そして、前記ユーザー判定手段４０４は、前記参照したユーザーの分類７０７の内容に基づいて、前記取得したユーザーＩＤが、特定ユーザーか一般ユーザーかを判定する。これにより、ユーザーＩＤの種類に応じて、当該ユーザーＩＤのユーザーが特定のユーザーか一般ユーザーかを判定することが可能となる。
【００５３】
前記判定の結果、前記出力キー７０３を押下したユーザーが一般ユーザーである場合に（図５：Ｓ１０８ＮＯ）、前記ユーザー判定手段４０４は、その旨をレポート出力手段４０６に通知し、当該通知を受けたレポート出力手段４０６は、前記判定したユーザーの分類に対応して、前記ページ項目「サービスステータスページ」のレポートページの通知情報を出力する。尚、Ｓ１０８において、前記出力キー７０３を押下したユーザーが特定のユーザーである場合は、後述する（図５：Ｓ１０８ＹＥＳ）。
【００５４】
具体的には、前記レポート出力手段４０６は、前記判定されたユーザーの分類７０７（例えば、「一般ユーザー」）を前記ユーザー判定手段４０４から取得し、前記出力対象となるページ項目（「サービスステータスページキー」）をレポート表示受付手段４０３から取得する。そして、前記レポート出力手段４０６は、通知情報記憶手段４０７に予め記憶された通知情報テーブルを参照する。
【００５５】
前記通知情報テーブル８００には、図８（Ａ）に示すように、前記ユーザーの分類８０１（特定ユーザーか一般ユーザー）と、ページ項目８０２（例えば、「サービスステータスページ」）と、通知情報のうち、一般ユーザーが閲覧可能な一般情報項目８０３と、通知情報のうち、特定ユーザーが閲覧可能な特殊情報項目８０４とが関連付けて記憶されている。
【００５６】
ここで、前記一般情報項目８０３とは、一般ユーザーも含めてどのようなユーザーが閲覧しても特に問題にならないレポートページの項目を意味し、例えば、ページ項目８０２が「サービスステータスページ」であれば、ファームウェアのバージョン情報等の詳細を示す「ファームウェアバージョン」、搭載メモリの容量を示すメモリサイズと複合機１００に装着されたオプションの詳細を示すオプション情報と複合機１００にインストールされたソフトウェアのインストール状況等の詳細を示す「エンジン情報」が該当する。これらの項目の通知情報は、秘匿性の低い一般的な情報（データ）となる。
【００５７】
一方、前記特殊情報項目８０４とは、一般ユーザーは閲覧することが出来ず、管理者等により予め許可された特定ユーザーのみが閲覧することが出来るレポートページの項目を意味し、例えば、ページ項目８０２が「サービスステータスページ」であれば、この複合機１００の輸出者、最終使用者の国、用途、仕向地等の詳細を示す「仕向地仕様情報」、この複合機１００の設置国、設置場所等の詳細を示す「エリア情報」、この複合機１００の各部の寿命の詳細を示す「ライフカウンター」が該当する。これらの項目の通知情報は、秘匿性の高い特殊な情報（データ）となる。
【００５８】
そのため、前記通知情報テーブル８００のユーザーの分類８０１のうち、一般ユーザーには、一般情報項目８０３のみ関連付けて記憶され、特定ユーザーには、一般情報項目８０３と特殊情報項目８０４とが関連付けて記憶されている。
【００５９】
特に、一般ユーザーにのみ関連付けられる一般情報項目８０３の内容は、１枚の用紙に収まる程度の情報量と設定される。これにより、レポートページを印刷する際に、印刷枚数の増加を軽減して、無駄な印刷物の出力を防止することが可能となる。
【００６０】
前記レポート出力手段４０６は、前記取得したユーザーの分類（「一般ユーザー」）、ページ項目（「サービスステータスページ」）と、前記通知情報テーブル８００のユーザーの分類８０１、ページ項目８０２とを照合し、当該照合したユーザーの分類８０１、ページ項目８０２に対応する一般情報項目８０３（「ファームウェアバージョン」、「エンジン情報」）を参照する。上述のように、前記ユーザーの分類８０１が一般ユーザーであれば、前記レポート出力手段４０６は、一般情報項目８０３のみを参照する。そして、前記レポート出力手段４０６は、前記参照した一般情報項目８０３の通知情報を複合機１００の各部から収集する（図５：Ｓ１０９）。
【００６１】
更に、前記レポート出力手段４０６は、前記収集した通知情報に基づいてページ項目画面をタッチパネル上に表示する（図５：Ｓ１１０）。
【００６２】
前記ページ項目画面８０５には、図８（Ｂ）に示すように、所定のメッセージ「（ページ項目）サービスステータスページ情報」８０６と、一般情報項目を示す一般情報８０７と、当該一般情報項目「ファームウェアバージョン」、「エンジン情報」に対応する通知情報８０８と、前記一般情報８０７に対応する通知情報８０８を印刷するための印刷キー８０９と、キャンセルキー８１０とが表示される。
【００６３】
これにより、一般ユーザーは、所定のページ項目における一般情報のみを確認することが可能となる。
【００６４】
ここで、例えば、ユーザーが、前記印刷キー８０９を押下すれば、前記レポート出力手段４０６が、当該印刷キー８０９の押下を受け付けて、前記一般情報８０７に対応する通知情報８０８を一枚の用紙に画像形成して印刷する（図５：Ｓ１１１）。
【００６５】
これにより、一般ユーザーが、レポートページを印刷する場合に、閲覧可能な必要最低限の情報のみがレポートページとして印刷される。そのため、セキュリティー上、極めて安全になるとともに、無駄な用紙出力を防止することが可能となる。特に、前記一般情報８０７に対応する通知情報８０８は、上述のように１枚の印刷物として収まる程度の情報量に設計されるため、特に、無駄な印刷を防止することが可能となる。
【００６６】
ところで、Ｓ１０８において、前記判定の結果、前記出力キー７０３を押下したユーザーが特定のユーザーである場合は、前記ユーザー判定手段４０４は、その旨をレポート出力手段４０６に通知し、当該通知を受けたレポート出力手段４０６は、前記判定したユーザーの分類に対応して、前記ページ項目「サービスステータスページ」のレポートページの通知情報を出力する。
【００６７】
前記レポート出力手段４０６は、上述と同様に、前記通知情報テーブル８００を参照して、前記取得したユーザーの分類（「特定ユーザー」）、ページ項目（「サービスステータスページ」）に対応する通知情報テーブル８００の一般情報項目８０３（「ファームウェアバージョン」、「エンジン情報」）と特殊情報項目８０４（「仕向地仕様情報」、「エリア情報」、「ライフカウンター」）を参照する。そして、前記レポート出力手段４０６は、前記参照した一般情報項目８０３と特殊情報項目８０４の通知情報を複合機１００の各部から収集する（図５：Ｓ１１２）。
【００６８】
更に、前記レポート出力手段４０６は、前記収集した通知情報のうち、一般情報項目８０３の通知情報に基づいて地紋画像選択画面をタッチパネル２０１上に表示する（図５：Ｓ１１３）。
【００６９】
前記地紋画像選択画面９００には、図９（Ａ）に示すように、所定のメッセージ「（ページ項目）サービスステータスページ情報」９０１と、一般情報項目を示す一般情報９０２と、当該一般情報項目「ファームウェアバージョン」、「エンジン情報」に対応する通知情報９０３と、特殊情報項目の通知情報（特殊情報）は地紋画像化（暗号化）するか否かを問い合わせるメッセージ９０４と、地紋画像化するための地紋画像化キー９０５と、地紋画像化しないで通常表示するための通常表示キー９０６とが表示される。
【００７０】
ここで、ユーザーが、前記地紋画像選択画面９００を見ながら、前記通常表示キー９０６を押下すると（図５：Ｓ１１３ＮＯ）、前記レポート出力手段４０６は、当該通常表示キー９０６の押下を受け付けて、前記収集した特殊情報項目８０４の通知情報に基づいて通常表示画面をタッチパネル２０１上に表示する（図５：Ｓ１１０）。
【００７１】
前記通常表示画面９０７には、図９（Ｂ）に示すように、所定のメッセージ「（ページ項目）サービスステータスページ情報」９０８と、特殊情報項目を示す特殊情報９０９と、当該特殊情報項目「仕向地仕様情報」、「エリア情報」、「ライフカウンター」に対応する通知情報９１０と、前記一般情報９０２及び特殊情報９０９に対応する通知情報９０３、９１０を印刷するための印刷キー９１１と、キャンセルキー９１２とが表示される。
【００７２】
これにより、特定ユーザーは、前記通常表示キー９０６を押下することで、前記特殊情報９０９に対応する通知情報９１０を確認することが可能となる。
【００７３】
ここで、例えば、ユーザーが、前記印刷キー９１１を押下すれば、上述と同様に、前記レポート出力手段４０６が、当該印刷キー９１１の押下を受け付けて、前記一般情報９０２及び特殊情報９０９に対応する通知情報９０３、９１０を所定枚の用紙に画像形成して印刷する（図５：Ｓ１１１）。
【００７４】
これにより、特定ユーザーが、レポートページを印刷する場合に、一般情報のみならず特殊情報がレポートページとして印刷されて、特定のユーザーには、必要な情報が印刷されたレポートページを印刷することが可能となる。尚、前記一般情報９０２に対応する通知情報９０３は、１枚の印刷物に収まる情報量であることから、前記特殊情報９０９に対応する通知情報９１０は、２枚目からの印刷物に表示されることになる。
【００７５】
一方、Ｓ１１３において、ユーザーが、前記地紋画像選択画面９００を見ながら、前記地紋画像化キー９０５を押下すると（図５：Ｓ１１３ＹＥＳ）、前記レポート出力手段４０６は、当該地紋画像化キー９０５の押下を受け付けて、その旨を変換手段４０８に通知する。当該通知を受けた変換手段４０８は、前記特殊情報９０９に対応する通知情報９１０を地紋画像に変換する（図５：Ｓ１１４）。
【００７６】
ここで、前記地紋画像とは、文字等に画像化して暗号化する処理を施すことで、一見して当該文字等を理解することが出来ない暗号化された画像であり、所定の復号化処理を施すことで、元の文字等に戻すことが出来る画像を意味する。前記地紋画像は、どのような種類、形態でも良く、公知の技術が適用される。
【００７７】
さて、前記変換手段４０８が前記地紋画像の変換を完了すると、その旨をレポート出力手段４０６に通知し、当該通知を受けたレポート出力手段４０６は、前記地紋画像に基づいて地紋画像画面をタッチパネル２０１上に表示する（図５：Ｓ１１５）。
【００７８】
前記地紋画像画面１０００には、図１０（Ａ）に示すように、所定のメッセージ「（ページ項目）サービスステータスページ情報」１００１と、特殊情報項目を示す特殊情報１００２と、当該特殊情報項目「仕向地仕様情報」、「エリア情報」、「ライフカウンター」に対応する地紋画像１００３と、前記一般情報９０２に対応する通知情報９０３と特殊情報１００２に対応する地紋画像１００３を印刷するための印刷キー１００４と、キャンセルキー１００５とが表示される。尚、図１０（Ａ）の地紋画像１００３は、例えば、「０」か「１」かのいずれかの文字が直列に暗号化された順番で配置された画像として表示されている。
【００７９】
これにより、特定ユーザーは、所定のページ項目における特殊情報を地紋画像として確認することが可能となるため、例えば、特定ユーザー以外の一般ユーザーが、前記地紋画像画面１０００を覗き見たとしても、地紋画像から意味を理解することが出来ないため、セキュリティー上、極めて安全となる。
【００８０】
ここで、例えば、ユーザーが、前記印刷キー１００４を押下すれば、前記レポート出力手段４０６が、当該印刷キー１００４の押下を受け付けて、前記一般情報９０２の通知情報９０３と前記特殊情報１００２の地紋画像１００３とを所定数の用紙に画像形成して印刷する（図５：Ｓ１１６）。
【００８１】
これにより、特定ユーザーが、レポートページを印刷する場合に、特殊情報の詳細は地紋画像として印刷されるため、特定ユーザー以外の一般ユーザーが、何らかの理由により、当該地紋画像を見る機会があったとしても、当該地紋画像から意味を理解することが出来ないため、セキュリティー上、極めて安全となる。
【００８２】
ところで、前記特殊情報の地紋画像の復号化処理は、本発明の目的を阻害しない限り、特に限定はなく、公知の技術が適用される。
【００８３】
例えば、特定のユーザーが、自己の携帯端末装置（タブレット端末、スマートフォン等）に前記復号化処理可能なソフトウェアを予めダウンロードし、当該携帯端末装置のカメラで、前記地紋画像画面１０００に表示された地紋画像１００３、又は印刷物として印刷された地紋画像を撮影し、画像データとして前記携帯端末装置に取り込む。そして、特定のユーザーが、前記ソフトウェアを実行することで、前記取り込まれた画像データ（地紋画像）が復号化処理されて、図１０（Ｂ）に示すように、地紋画像が、元の特殊情報の通知情報に変換されて表示される。
【００８４】
又、例えば、前記複合機１００に前記復号化処理可能なソフトウェアを予めダウンロードしておき、特定のユーザーが、前記印刷物として印刷された地紋画像を当該複合機１００の画像読取部１０３で読み取って、画像データとして前記複合機１００に取り込む。そして、特定のユーザーが、前記ソフトウェアを実行することで、前記取り込まれた画像データが復号化処理されて、例えば、タッチパネル２０１上に表示される。
【００８５】
これにより、特定のユーザーが自己の携帯端末装置や複合機１００を利用して、前記地紋画像を復号化処理するよう構成すれば、特定のユーザーのみが当該地紋画像の内容を理解することが可能となり、セキュリティー上、極めて安全となるのである。
【００８６】
このように、本発明では、レポートページが出力される際に、現在、自装置にログイン中のユーザーが特定のユーザーか一般ユーザーかを判定するユーザー判定手段４０４と、前記判定の結果、前記ユーザーが一般ユーザーである場合に、秘匿性の低い一般的な情報に基づいたレポートページを出力し、前記ユーザーが特定ユーザーである場合に、前記一般的な情報と、秘匿性の高い特殊な情報に基づいたレポートページを出力するレポート出力手段４０６とを備えることを特徴とする。
【００８７】
これにより、ユーザー毎に各種レポートの出力内容を変更して、無駄なキー操作、印刷等を削除することが可能となる。
【００８８】
尚、本発明の実施形態では、初期画面６０７に表示されたレポートキー６１０の押下により、前記レポートページ出力画面７００を表示するよう構成したが、他の構成でも構わない。例えば、初期画面中にシステム画面への移行キーを用意して、当該移行キーの押下によりシステム画面へ切り替え表示し、更に、当該システム画面内にレポートキーを表示して、そのレポートキーの押下により、前記通知項目表示画面を表示するよう構成しても良い。
【００８９】
又、本発明の実施形態では、前記レポート出力手段４０６が、一般情報項目８０３の通知情報を地紋画像選択画面を介して出力した後に、特殊情報項目８０４の通知情報を通常表示画面を介して出力したが、一般情報項目８０３の通知情報と特殊情報項目８０４の通知情報とを出力する構成であれば、他の構成でも構わない。
【００９０】
又、本発明の実施形態に係る情報出力装置では、複合機１００に適用した場合について説明したが、情報出力を要する各種画像形成装置、各種画像処理装置、各種画像加工装置、各種画像表示装置、各種計測装置、各種操作装置等に適用しても、同一の作用効果を奏する。
【００９１】
又、本発明の実施形態では、複合機１００が各手段を備えるよう構成したが、当該各手段を実現するプログラムを記憶媒体に記憶させ、当該記憶媒体を提供するよう構成しても構わない。当該構成では、前記プログラムを複合機１００に読み出させ、当該複合機１００が前記各手段を実現する。その場合、前記記録媒体から読み出されたプログラム自体が本発明の作用効果を奏する。さらに、各手段が実行するステップをハードディスクに記憶させる方法として提供することも可能である。
【産業上の利用可能性】
【００９２】
以上のように、本発明に係る情報出力装置及び情報出力方法は、複合機はもちろん、スキャナー、複写機、プリンター等に有用であり、ユーザー毎に各種レポートの出力内容を変更して、無駄なキー操作、印刷等を削除することが可能な情報出力装置及び情報出力方法として有効である。
【符号の説明】
【００９３】
１００  複合機
１０２  操作部
４０１  認証手段
４０２  表示受付手段
４０３  レポート表示受付手段
４０４  ユーザー判定手段
４０５  ユーザー記憶手段
４０６  レポート出力手段
４０７  通知情報記憶手段
４０８  変換手段
【図１】
2015046751.tif 000003
【図２】
2015046751.tif 000004
【図３】
2015046751.tif 000005
【図４】
2015046751.tif 000006
【図５】
2015046751.tif 000007
【図６】
2015046751.tif 000008
【図７】
2015046751.tif 000009
【図８】
2015046751.tif 000010
【図９】
2015046751.tif 000011
【図１０】
2015046751.tif 000012